(57)【要約】【課題】  一般的に市販されている形状に、一体成形（合成樹脂等）にて切り欠き面を設けてなるもので嵌合手段が本発明のように別体となっているものではない。【解決手段】  凹凸状の接続具を設けてなるブロック遊具で、ブロック本体に穴部を形設し、この穴部に固着する凹具と凸具による接続具を設けてなることを特徴とする。【選択図】図１
2011218127.tif 000002
【特許請求の範囲】
【請求項１】
凹凸状の接続具を設けてなるブロック遊具で、ブロック本体に穴部を形設し、この穴部に固着する凹具と凸具による接続具を設けてなることを特徴とするブロック遊具。
【請求項２】
凹具と凸具の高さ寸法及び外径を同一にしてなることを特徴とする請求項１記載のブロック遊具。
【請求項３】
少なくとも穴部を、ブロック本体の上面に設けた上穴部とブロック本体の下面に設けた下穴部とにより構成してなることを特徴とする請求項１又は２記載のブロック遊具。
【請求項４】
凹具と凸具の外径を同一とし、高さ寸法を異なる寸法にしてなることを特徴とする請求項１又は３記載のブロック遊具。
【請求項５】
上穴部と下穴部の深さを異なる寸法にしてなることを特徴とする請求項３記載のブロック遊具。
【請求項６】
ブロック本体の材質が、窒業系・金属系・非鉄金属系・カーボン系・ゴム系・樹脂系・木系・石系の１つであることを特徴とする請求項１、２、３、４又は５記載のブロック遊具。
【請求項７】
ブロック本体に、素材名・産地・メーカー名を表記することを特徴とする請求項１、２、３、４、５又は６記載のブロック遊具。
【発明の詳細な説明】
【技術分野】
【０００１】  本発明は、ブロック本体と接続具を別体に加工してなるブロック遊具に関するものである。【０００２】  背景技術としては、直方体または立方体等の６面体形状に形成された本体部と、前記本体部の一部を構成する互いに平行な二側面に形成した嵌合手段と、前記嵌合手段を設けた嵌合面を除く互いに平行な二側面に、当該側面を窪ませた把持用凹部を設け、前記把持用凹部の一端は前記嵌合面に到達し、当該嵌合面の一部を切り欠くように形成されていることを特徴とする、がある。（特許文献１参照）【０００３】  また、別の従来技術としては、それぞれの各面に凹孔及び凸部をそれぞれ異なった位置に配置し、この形状の遊戯具用ブロック一種類のみを多数個用いることで多種多様な造形物を構築するものであり、正四角形の一面には円周位置に間隔を均等とする凹孔を８個、他の正四角形の一面及び斜面には間隔を均等とする凹孔および凸部各４個を交互配置で設ける。また、正三角形の一面には円周位置に間隔を均等とする凹孔を４個、他の一面には円周位置に間隔を均等とする凹孔及び凸部各二個を交互配置で設ける構造、がある。（特許文献２参照）
【先行技術文献】
【特許文献】
【０００４】
【特許文献１】特開２００９−３９４４０号公報
【特許文献２】特開２００９−１３９号公報
【発明の概要】
【発明が解決しようとする課題】
【０００５】  上記前者の場合、一般的に市販されている形状に、一体成形（合成樹脂等）にて切り欠き面を設けてなるもので嵌合手段が本発明のように別体となっているものではない。【０００６】  上記後者においては、一体成形品であり多種多様なブロックを組み立てることはできるが、これもまた、ブロック本体と接続具が本発明のように別体となっていない。【０００７】  本発明は、特にブロック本体と接続具を別体に設けることにより、色々な形態のブロック本体に対して共通の接続具を固着することにより、加工性がよく、自由度も高く、小さなブロック本体から大きなブロック本体まで、目的に応じたブロック遊具を提供することを目的とする。【０００８】  本発明は、上記目的を達成するために、凹凸状の接続具を設けてなるブロック遊具で、ブロック本体に穴部を形設し、この穴部に固着する凹具と凸具による接続具を設けてなること。凹具と凸具の高さ寸法及び外径を同一にしてなること。少なくとも穴部を、ブロック本体の上面に設けた上穴部とブロック本体の下面に設けた下穴部とにより構成してなること。凹具と凸具の外径を同一とし、高さ寸法を異なる寸法にしてなること。上穴部と下穴部の深さを異なる寸法にしてなること。ブロック本体の材質が、窒業系・金属系・非鉄金属系・カーボン系・ゴム系・樹脂系・木系・石系の１つであること。ブロック本体に、素材名・産地・メーカー名を表記するものである。
【発明の効果】
【０００９】  本発明によれば、以下に述べる効果を有する。
１）ブロック本体の穴部に接続具を固着して使用できるため、目的に応じ必要な穴部に接    続具を取り付けることができる。
２）凹具と凸具による接続具の外径とブロック本体の穴部の穴径と同一にすることにより    、形状や材質の異なったブロック本体でも固着して色々なブロック遊具を作り上げる    ことができる。
３）少なくとも、穴部を上穴部と下穴部とにより構成することにより、縦方向ブロック遊    具として使用できる。
４）凹具と凸具の高さを異なる寸法、また、上穴部と下穴部の深さを異なる寸法とするこ    とにより、ブロック本体を浮かせて接続できたり、密着させて組み立てることができ    る。
５）ブロック本体の材質を色々選択できるため、用途や目的の応じて決めることができる    。
６）ブロック本体に、素材名・産地・メーカー名を表記することにより、安全・安心して    使用できる。
【図面の簡単な説明】
【００１０】
【図１】  本発明の第１実施例を示すブロック遊具における凸具の正面図。
【図２】  本発明の第１実施例を示すブロック遊具における凸具の底面図。
【図３】  本発明の第１実施例を示すブロック遊具における凹具の縦断正面図。
【図４】  本発明の第１実施例を示すブロック遊具における凹具の平面図。
【図５】  本発明の第１実施麗を示すブロック遊具における接続具の一部縦断正面図
【図６】  本発明の第１実施例を示すブロック遊具におけるブロック本体の正面図。
【図７】  本発明の第１実施例を示すブロック遊具の一部縦断正面図。
【図８】  本発明の第２実施例を示すブロック遊具におけるブロック本体の正面図。
【図９】  本発明の第２実施例を示すブロック遊具の要部の一部縦断正面図。
【図１０】  本発明の第３実施例を示すブロック遊具におけるブロック本体の正面図。
【図１１】  本発明の第３実施例を示すブロック遊具の要部の一部縦断正面図。
【発明を実施するための形態】
【００１１】  １は、凹具２と凸具３からなるブロック遊具です。
凸具２は、円盤状の基台２ａに、アンカー部２ｂを形設してなる突出体２ｃを設けてなるものである。
凹具３は、上記と同様な基台３ａに、上記突出体２ｃと同形の抱持部３ｂを形設してなる抱持体３ｃを設けてなるものである。
凸具２の高さ寸法ａと高さ寸法ｂは、凹具３の高さ寸法ａ１と高さ寸法ｂ１と同一とするものである。
４は、例えば材質を木としてなる立方体によるブロック本体で、上面に複数個所に設けた上穴部４ａと下面の同位置に複数個所に設けた下穴部４ｂを設けてある。
なお、上穴部４ａの深さＦ及び下穴部４ｂの深さＦ１は、基台２ａ・３ａの厚みＴ・Ｔ１と同じである。
【００１２】  つぎに、ブロック遊具としての使用例を説明する。
ブロック遊具ＢＵ１として、上方のブロック本体４の凸具２−−−を、下方のブロック本体４の凹具３−−−を接続（圧入）することにより、上下方向への組み立てが可能で、かつ、ブロック本体４間に隙間Ｓが形成され、向かい側が見えるブロック遊具ＢＵ１として使用できる。
【００１３】  つぎに、第２実施例のブロック遊具としての使用例を説明する。
このブロック遊具ＢＵ２は、ブロック本体２４の上穴部２４ａ−−−及び下穴部２４ｂ−−−のそれぞれの厚さＦ２・Ｆ３を、凸具２の高さ寸法ｂ及び凹具３の高さ寸法ｂ１の約半分としている。
よって、ブロック遊具ＢＵ２は、上穴部２４ａ−−−に凹具３−−−を固着し、下穴部２４ｂ−−−に凸具２−−−を固着することにより、ブロック本体２４・２４を密着させて組み立てることができる。
【００１４】  第３実施例のブロック遊具について説明する。
ブロック遊具ＢＵ３は、ブロック本体３４の上穴部３４ａ−−−の深さＦ４を基台２ａ（３ａ）の厚みＴ（Ｔ１）と同じとする。
また、下穴部３４ｂ−−−の深さＦ５を高さ寸法ｂ（高さ寸法ｂ１）と同一とする。
よって、ブロック遊具ＢＵ３は、凸具２−−−（凹具３−−−）を上穴部３４ａあるいは下穴部３４ｂ−−−に固着することにより、一方を突出せずに加工（組立）できるものである。
【００１５】  なお、上記各実施例において、凸具２及び凹具３の高さ寸法ｂ−ｂ１を異なるものとし、スペーサー（図示せず）にて調整するのも一考である。
また、凸具２と凹具３の大きさは、ブロック本体の大きさ等により、必要に応じて決めるものとする。
さらに、接続具１の材質やブロック本体４・２４・３４の材質も使用目的等によって決めるものである。
さらにまた、接続具１は材質によって加工精度を決めるものとし、ブロック本体４・２４・３４の形状や着色等も目的等により自由に決めるものとする。
【符号の説明】
【００１６】１−−−ブロック遊具
２−−−凸具
３−−−凹具
４−−−ブロック本体
ＢＵ１−ブロック遊具
【図１】
2011218127.tif 000003
【図２】
2011218127.tif 000004
【図３】
2011218127.tif 000005
【図４】
2011218127.tif 000006
【図５】
2011218127.tif 000007
【図６】
2011218127.tif 000008
【図７】
2011218127.tif 000009
【図８】
2011218127.tif 000010
【図９】
2011218127.tif 000011
【図１０】
2011218127.tif 000012
【図１１】
2011218127.tif 000013